(57)【要約】【課題】表示機能を低下させずに、最適なフラッシュサーフェイス構造を実現する。【解決手段】矩形状の表示パネルと、前記表示パネルの表面全体を覆う偏光板と、前記表示パネルを支持するフレームと、を備え、前記偏光板は、前記偏光板の少なとも一つの側面から前記表示パネルよりも外方へ延びた偏光板拡張部を有し、前記フレームは、前記フレームから前記偏光板拡張部の拡張方向に沿って拡張され、前記偏光板拡張部を支持するフレーム拡張部を有する、情報処理装置。【選択図】図５
2013073009.tif 000002
【特許請求の範囲】
【請求項１】
矩形状の表示パネルと、
前記表示パネルの表面全体を覆う偏光板と、
前記表示パネルを支持するフレームと、
を備え、
前記偏光板は、前記偏光板の少なくとも一つの側面から前記表示パネルよりも外方へ延びた偏光板拡張部を有し、
前記フレームは、前記フレームから前記偏光板拡張部の拡張方向に沿って拡張され、前記偏光板拡張部を支持するフレーム拡張部を有する、情報処理装置。
【請求項２】
前記偏光板拡張部の裏面に、遮光印刷層が形成されている、請求項１に記載の情報処理装置。
【請求項３】
前記表示パネルは、所定の表示エリアを有し、
前記偏光板拡張部及び前記偏光板の裏面で、かつ前記表示パネルの前記表示エリアの外周に、遮光印刷層が形成されている、請求項２に記載の情報処理装置。
【請求項４】
前記偏光板拡張部は、前記フレーム拡張部に接着されている、請求項１に記載の情報処理装置。
【請求項５】
前記偏光板は、前記表示パネルに貼り付けられており、
前記表示パネルの前記偏光板が貼り付けられる面と、前記フレーム拡張部の前記偏光板拡張部を支持する面との段差の大きさは、０．１ｍｍ以下である、請求項１に記載の情報処理装置。
【請求項６】
前記偏光板及び前記偏光板拡張部は、前記表示パネル及び前記フレーム拡張部に、接着層により接着されている、請求項５に記載の情報処理装置。
【請求項７】
前記情報処理装置は、
前記表示パネル、前記偏光板、及び前記フレームを含む表示モジュールと、
前記表示モジュールが取り付けられるハウジングと、
を更に備え、
前記フレーム拡張部の裏面側には、前記ハウジングと係合することで前記表示モジュールを前記ハウジングに取り付ける取付部が形成されている、請求項１に記載の情報処理装置。
【請求項８】
前記フレーム拡張部の厚みは、前記表示モジュールの厚みよりも小さい、請求項７に記載の情報処理装置。
【請求項９】
前記情報処理装置は、前記フレーム拡張部の裏面側に、撮像を行う撮像部材を更に備え、
前記フレーム拡張部は、前記撮像部材による撮像時の光軸が通過する部分に貫通穴を有する、請求項１に記載の情報処理装置。
【請求項１０】
前記偏光板拡張部の裏面で、かつ前記光軸が通過しない部分に、遮光印刷層が形成されている、請求項９に記載の情報処理装置。
【請求項１１】
前記表示パネルは、
駆動基板と、前記駆動基板と対向する対向基板とを有し、
前記駆動基板と前記対向基板の間に、液晶材料が封入されている、請求項１に記載の情報処理装置。
【発明の詳細な説明】
【技術分野】
【０００１】
本開示は、情報処理装置に関し、より詳細には、表示パネルと偏光板を有する情報処理装置に関する。
【背景技術】
【０００２】
情報処理装置として、例えば、ノート型のパーソナルコンピュータ、ＰＤＡ（Personal  Digital  Assistant）等の電子機器がある。この電子機器は、画像や文字等の情報を表示するために、表示パネルと偏光板等を有する。
【先行技術文献】
【特許文献】
【０００３】
【特許文献１】特開２００８−２８８８０１号公報
【発明の概要】
【発明が解決しようとする課題】
【０００４】
ところで、昨今、電子機器の表示部の表面構造に関して、一枚板のようなフラッシュサーフェイス構造（表面に段差や凹凸が無い構造）の実現が要請されている。一方で、フラッシュサーフェイス構造を実現すべく採用できる部材（例えば、保護板）が限定されており、このような部材を選択することで表示機能が低下（例えば、視認性の低下や輝度低下）する問題がある。
【０００５】
本開示は、表示機能を低下させずに、最適なフラッシュサーフェイス構造を実現する方法を提案する。
【課題を解決するための手段】
【０００６】
本開示によれば、矩形状の表示パネルと、前記表示パネルの表面全体を覆う偏光板と、前記表示パネルを支持するフレームと、を備え、前記偏光板は、前記偏光板の少なくとも一つの側面から前記表示パネルよりも外方へ延びた偏光板拡張部を有し、前記フレームは、前記フレームから前記偏光板拡張部の拡張方向に沿って拡張され、前記偏光板拡張部を支持するフレーム拡張部を有する、情報処理装置が提供される。
【０００７】
そして、本開示によれば、対向基板側偏光板と偏光板拡張部によって、情報処理装置の最表面を一枚板で形成できる。また、フレーム拡張部が、偏光板拡張部を支持することで、偏光板拡張部の変形等を防止できる。また、対向基板側偏光板を拡張しても、表示機能を低下させるものではない。従って、表示機能を低下させずに、最適なフラッシュサーフェイス構造を実現できる。
【発明の効果】
【０００８】
以上説明したように本開示によれば、表示機能を低下させずに、最適なフラッシュサーフェイス構造を実現できる。
【図面の簡単な説明】
【０００９】
【図１】電子機器を示す斜視図である。
【図２Ａ】第１比較例に係る表示側筐体の概略構成を示す斜視図である。
【図２Ｂ】第１比較例に係る表示側筐体の概略構成を示す断面図である。
【図３Ａ】第２比較例に係る表示側筐体の概略構成を示す斜視図である。
【図３Ｂ】第２比較例に係る表示側筐体の概略構成を示す断面図である。
【図４】本実施形態に係る液晶表示モジュールの平面図である。
【図５】液晶表示モジュールの断面図である。
【図６】液晶表示モジュールをハウジングに取り付けた状態の表示側筐体の平面図である。
【図７】図６のＡ−Ａ断面図である。
【図８】図６のＢ−Ｂ断面図である。
【図９】図６のＣ−Ｃ断面図である。
【図１０】対向基板側偏光板に設けられた切り欠き部を説明するための図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行うものとする。
１．情報処理装置の概要
２．比較例に係る表示側筐体の構成
３．本実施形態に係る表示側筐体の構成
３−１．液晶表示モジュールの構成
３−２．液晶表示モジュールの製造プロセス
３−３．ハウジング及び周辺構成
４．まとめ
【００１２】
＜１．情報処理装置の概要＞
本実施形態では、情報処理装置として、表示部を有するノート型のパーソナルコンピュータ等の電子機器を例に挙げて説明する。
【００１３】
図１を参照しながら、電子機器１００の外観構成について説明する。図１は、電子機器１００を示す斜視図である。なお、電子機器は、ノート型のパーソナルコンピュータに限定されず、例えば携帯電話機、ＰＤＡ、ゲーム機、電子辞書、タブレット等であっても良い。
【００１４】
図１に示すように、電子機器１００は、本体側筐体１１０と、表示側筐体１２０と、ヒンジ部１３０とを有する。本体側筐体１１０及び表示側筐体１２０は、例えばそれぞれ平板形状となっており、同一サイズに形成されている。
【００１５】
本体側筐体１１０は、ユーザ操作を受け付ける入力部１１２を有する。入力部１１２は、ユーザ操作を検出し、ユーザ操作に対応する電気信号を出力する。入力部１１２は、図１に示すようにキーボードやポインティングデバイス等を含む。なお、入力部１１２は、これに限定されず、例えばタッチパネルを含んでも良い。
【００１６】
表示側筐体１２０は、各種の情報を表示する表示部１２２を有する。表示部１２２は、例えば液晶ディスプレイ等の表示装置により構成される。なお、表示側筐体１２０の詳細構成については、後述する。
【００１７】
ヒンジ部１３０は、本体側筐体１１０と表示側筐体１２０とを開閉自在に連結している。表示側筐体１２０は、図１に示す開位置と、本体側筐体１１０の上面を覆う閉位置との間で回動する。
【００１８】
＜２．比較例に係る表示側筐体の構成＞
本実施形態に係る表示側筐体１２０の構成を説明する前に、２つの比較例（第１比較例と第２比較例）に係る表示側筐体の構成について、図２Ａ、図２Ｂ、図３Ａ、図３Ｂを参照しながら説明する。
【００１９】
図２Ａは、第１比較例に係る表示側筐体３００の概略構成を示す斜視図である。図２Ｂは、第１比較例に係る表示側筐体３００の概略構成を示す断面図である。図２Ａ及び図２Ｂに示すように、第１比較例に係る表示側筐体３００は、液晶表示モジュール３１０と、ハウジング３４０と、外周ベゼルフレーム３５０とを有する。
【００２０】
液晶表示モジュール３１０は、表示部（液晶ディスプレイ）として機能する。かかる機能を実現すべく、液晶表示モジュール３１０は、液晶パネル３１１と、バックライトユニット３２２と、フレーム３２４とを有する。また、液晶パネル３１１は、駆動基板３１２と、対向基板３１３と、駆動基板側偏光板３１４と、対向基板側偏光板３１５とを有する。なお、液晶パネル３１１と、バックライトユニット３２２と、フレーム３２４の各機能等については、後述する本実施形態において説明する。
【００２１】
ハウジング３４０は、液晶表示モジュール３１０を収納して保持する。外周ベゼルフレーム３５０は、液晶表示モジュール３１０の外周を覆う。外周ベゼルフレーム３５０は、図２Ｂに示すように、液晶表示モジュール３１０の対向基板側偏光板３１５よりも突出している。このように外周ベゼルフレーム３５０が対向基板側偏光板３１５よりも突出しているため、表示側筐体３００の前面に段差が形成されることになる。
【００２２】
ところで、昨今、表示側筐体３００の表面構造に関して、一枚板のようなフラッシュサーフェイス構造（表面に段差や凹凸が無い構造）の実現が要請されている。このような要請に応える手法として、以下に説明する第２比較例に係る表示側筐体３００の構成が提案されている。
【００２３】
図３Ａは、第２比較例に係る表示側筐体４００の概略構成を示す斜視図である。図３Ｂは、第２比較例に係る表示側筐体４００の概略構成を示す断面図である。図３Ａ及び図３Ｂに示すように、第２比較例に係る表示側筐体４００は、液晶表示モジュール４１０と、ハウジング４４０と、透明保護板４５０とを有する。すなわち、表示側筐体４００は、第１比較例の外周ベゼルフレーム３５０の代わりに、透明保護膜４５０を有する。
【００２４】
液晶表示モジュール４１０及びハウジング４４０の構成は、第１比較例の液晶表示モジュール３１０及びハウジング３４０と同様な構成である。
【００２５】
透明保護膜４５０は、液晶表示モジュール４１０の上に空気層を介して設けられている。透明保護膜４５０は、対向基板３１３よりも大きい形状をしており、透明保護層４５０の裏面の外周部分がハウジング４４０に固定されている。透明保護膜４５０は、ガラス、アクリル、ポリカーボネート等のある一定の透過率を有する材料で製造された透明保護板又はフィルムである。
【００２６】
また、透明保護膜４５０の裏面の、液晶表示エリアの外周部に対応する領域には、遮光印刷層４１７が形成されている。遮光印刷層４１７は、液晶表示モジュール４１０の外周部、及び液晶表示モジュール４１０の外周に存在するデバイス部品や配線を目隠しする機能を有する。
【００２７】
ところで、上述したように空気層を介して透明保護膜４５０を設ける場合には、空気層と保護膜の界面、又は空気層と液晶表示モジュールの界面において、外光の界面反射やバックライト光の界面反射が発生することがある。このような界面反射が発生すると、液晶表示の視認性低下、液晶表示モジュール４１０の輝度低下につながる。このような問題を解決するために、例えば、透明保護膜４５０の表面に低反射コートを施したり、透明保護膜４５０と液晶表示モジュール４１０を屈折率１．５前後の光学接着樹脂で接着する方法が考えられる。
【００２８】
しかし、上述した構造の場合、透明保護膜４５０を使用することによる重量・厚みの増加が避けられない。また、液晶表示の視認性低下、液晶表示モジュール４１０の輝度低下を防ぐためには、透明保護膜４５０を液晶表示モジュール４１０に直接接着させる必要があり、製造工程追加による組み立てコストの増加や、設備構築コストの増加という問題が生じる。
【００２９】
そこで、本実施形態に係る電子機器１００は、上述した問題を解決すべく透明保護膜を使用せずにフラッシュサーフェイス構造を実現できるように、詳細は後述するが、対向基板偏光板を延出した偏光板拡張部と、偏光板拡張部に対応してフレームを拡張したフレーム拡張部とを有する。
【００３０】
＜３．本実施形態に係る表示側筐体の構成＞
本実施形態に係る表示側筐体１２０は、表示モジュールの一例である液晶表示モジュール２１０と、ハウジング２４０とを有する。なお、本実施形態に係る表示側筐体１２０は、上述した第１比較例の外周ベゼルフレーム３５０、及び第２比較例の透明保護板４５０を有しない。
【００３１】
以下においては、表示側筐体１２０の構成として、まず液晶表示モジュール２１０の構成を説明した後に、他の構成について説明する。
【００３２】
（３−１．液晶表示モジュールの構成）
図４及び図５を参照しながら、本実施形態に係る液晶表示モジュール２１０の構成について説明する。図４は、本実施形態に係る液晶表示モジュール２１０の平面図である。図５は、液晶表示モジュール２１０の断面図である。
【００３３】
図５に示すように、液晶表示モジュール２１０は、液晶パネル２１１と、バックライトユニット２２２と、フレーム２２４とを有する。また、液晶パネル２１１は、駆動基板２１２と、対向基板２１３と、駆動基板側偏光板２１４と、対向基板側偏光板２１５とを有する。
【００３４】
駆動基板２１２と対向基板２１３は、それぞれガラス基板であり、互いに対向するように配置されている。駆動基板２１２には薄膜トランジスタが形成され、対向基板２１３にはカラーフィルタが形成されている。駆動基板２１２と対向基板２１３の間には、液晶材料が封入されている。なお、駆動基板２１２と対向部材２１３が、矩形状の表示パネルを構成する。
【００３５】
駆動基板２１２の下辺には、図４に示すように、ＦＰＣ（フレキシブルプリント基板）／ＰＷＢ（プリント配線回路基板）実装領域２３２が設けられている。ＦＰＣ／ＰＷＢ実装領域２３２は、駆動回路やバックライト駆動回路やＬＶＤＳ（低電圧差動信号）インターフェイスが実装されたＰＷＢを接続している。なお、ＦＰＣ／ＰＷＢ実装領域２３２が駆動基板２１２の下辺に設けられているのは、液晶表示モジュール２１０の薄型化のためである。
【００３６】
駆動基板側偏光板２１４と対向基板側偏光板２１５は、駆動基板２１２と対向基板２１３の外側に設けられ、一方向のみの光を通過させ、他方向の光を吸収、反射、錯乱などによって遮蔽する機能を有する。駆動基板側偏光板２１４は、駆動基板２１２の下側に位置して、駆動基板２１２の表面全体を覆う。対向基板側偏光板２１５は、対向基板２１３の上側に位置し、対向基板２１３の表面全体を覆う。
【００３７】
駆動基板側偏光板２１４は、表示パネル（駆動基板２１２、対向基板２１３）と同じサイズであるのに対して、対向基板側偏光板２１５は、ガラス基板よりも大きいサイズである。対向基板側偏光板２１５は、ＦＰＣ／ＰＷＢ実装領域２３２が設けられている下辺を除いた３辺において、対向基板側偏光板２１５の側面からガラス基板よりも外方へ延びた偏光板拡張部２１６を有する。図４に示すように、偏光板拡張部２１６は、液晶表示モジュール２１０の表示エリアＡの外周に位置する。なお、３辺に偏光板拡張部２１６を設けることとしているが、これに限定されず、例えば１辺や２辺にのみ偏光板拡張部２１６を設けても良く、４辺全てに偏光板拡張部２１６を設けても良い。
【００３８】
対向基板側偏光板２１５は、ＰＶＡ（ポリビニルアルコール）を２枚のＴＡＣ（トリアセチルセルロース）フィルムで挟むように積層されている。表面側のＴＡＣ上には、ハードコート層、低反射層、アンチグレア層等の表面処理が施されている。
【００３９】
対向基板側偏光板２１５の裏面には、遮光印刷層２１７が形成されている。より具体的には、偏光板拡張部２１６及び対向基板側偏光板２１５の裏面で、かつ表示パネルの表示エリアＡの外周に、遮光印刷層２１７が形成されている。遮光印刷層２１７は、黒インク等により形成されており、液晶表示モジュール２１０の外周部と、液晶表示モジュール２１０の外周に存在するデバイス部品や配線とを目隠しする。
【００４０】
遮光印刷層２１７上を含む対向基板側偏光板２１５の裏面の全面には、接着層の一例である粘着層２１８が形成されている。粘着層２１８は、対向基板側偏光板２１５及び偏光板拡張部２１６を、対向基板２１３とフレーム２２４（フレーム拡張部２２５）に接着する機能を有する。これにより、対向基板側偏光板２１５及び偏光板拡張部２１６の変形等をより有効に防止できる。なお、ＴＡＣと、遮光印刷層２１７又は粘着層２１８との間には、位相差フィルムや液晶フィルムが設けられても良い。
【００４１】
バックライトユニット２２２は、液晶パネル２１１に向けて光を発する。バックライトユニット２２２は、例えば、光源のＬＥＤチップと、導光板と、プリズムシートと、拡散シートと、反射シートとを有する。
【００４２】
フレーム２２４は、バックライトユニット２２２を支持する。フレーム２２４は、表示パネル（駆動基板２１２、対向基板２１３）も支持する。フレーム２２４は、樹脂製又は金属製のフレームであるが、本実施形態では樹脂製のフレームであるものとする。フレーム２２４は、フレーム２２４から偏光板拡張部２１６の拡張方向に沿って拡張されたフレーム拡張部２２５を有する。
【００４３】
フレーム拡張部２２５は、偏光板拡張部２１６を支持して、薄い偏光板拡張部２１６の変形等を防止（強度を補強）する。フレーム拡張部２２５の外形は、偏光板拡張部２１６の外形と同じ大きさである。ただし、フレーム拡張部２２５の外形が、偏光板拡張部２１６の外形より大きくても良い。
【００４４】
フレーム拡張部２２５は、粘着層２１８によって偏光板拡張部２１６と接着している。フレーム拡張部２２５の表面は、偏光板拡張部２１６との接着面となるため、凹凸が無いフラットな形状となっている。これにより、偏光板拡張部２１６は、フレーム拡張部２２５により安定した状態で支持される。
【００４５】
ところで、対向基板２１３の対向基板側偏光板２１５が貼り付けられる貼付面と、フレーム拡張部２２５の偏光板拡張部２１６を支持する支持面との段差は、０．１ｍｍ以下である。より好適には、貼付面と支持面が、段差が無い同一平面上に位置することが望ましい。これにより、対向基板側偏光板２１５と偏光板拡張部２１６に曲げ等が無い、より高精度なフラッシュサーフェイス構造を実現できる。
【００４６】
フレーム拡張部２２５の裏面側には、液晶表示モジュール２１０をハウジング２４０に取り付けるフレーム側取付部２２６が形成されている。フレーム側取付部２２６のフック２２６ａが、ハウジング２４０のハウジング側取付部２４２と係合することで、液晶表示モジュール２１０がハウジング２４０に取り付けられる。これにより、液晶表示モジュール２１０をハウジング２４０に容易に組み付けることができるので、表示側筐体１２０の組立性が向上する。
【００４７】
（３−２．液晶表示モジュールの製造プロセス）
上述した構成を有する液晶表示モジュール２１０の製造プロセスの一例について、説明する。まず、駆動基板２１２及び対向基板２１３を準備し、駆動基板２１２と対向基板２１３の間に液晶材料を封入して表示パネルを形成する。次に、駆動基板側偏光板２１４を駆動基板２１２に貼り付ける。
【００４８】
次に、表示パネルを、バックライトユニット２２２と共にフレーム２２４に取り付ける。この際、対向基板２１３の最表面と、フレーム拡張部２２５の最表面とが、段差なく平坦となることが望ましい。最後に、外周に遮光印刷層２１７が形成された対向基板側偏光板２１５及び偏光板拡張部２１６を、対向基板２１３上とフレーム拡張部２２５上に貼り付ける。
【００４９】
以上の製造プロセスにより、最表面の凹凸を無くし、一枚板のような液晶表示モジュール２１０を実現できる。
【００５０】
（３−３．ハウジング及び周辺構成）
図６〜図８を参照しながら、ハウジング２４０及び周辺構成について説明する。図６は、液晶表示モジュール２１０をハウジング２４０に取り付けた状態の表示側筐体１２０の平面図である。図７は、図６のＡ−Ａ断面図である。図８は、図６のＢ−Ｂ断面図である。図９は、図６のＣ−Ｃ断面図である。
【００５１】
ハウジング２４０には、図７に示すように、液晶表示モジュール２１０を取り付けるハウジング側取付部２４２が設けられている。ハウジング側取付部２４２のフック２４２ａが、液晶表示モジュール２１０のフレーム側取付部２２６のフック２２６ａと係合することで、液晶表示モジュール２１０とハウジング２４０が固定される。
【００５２】
液晶表示モジュール２１０がハウジング２４０に取り付けられた状態で、液晶表示モジュール２１０の厚みよりも小さい厚みを有するフレーム拡張部２２５と、ハウジング２４０との間には、配線やデバイス部品が設けられている。例えば、表示側筐体１２０の左辺Ｌ（図６）側におけるフレーム拡張部２２５とハウジング２４０の間には、図７に示すように配線スペース２７０が確保されている。配線スペース２７０には、例えばアンテナ用配線２７１とカメラ用配線２７２が設置されている。
【００５３】
また、表示側筐体１２０の上辺Ｕ（図６）側におけるフレーム拡張部２２５とハウジング２４０の間には、図９に示すように撮像部材の一例であるカメラモジュール２７４が設けられている。カメラモジュール２７４は、被写体の撮像を行う撮像素子等を有する。このように配線スペース２７０やカメラモジュール２７４を配置することで、表示側筐体１２０を薄型にしても電子部品等を配置できる。
【００５４】
ところで、フレーム拡張部２２５のカメラモジュール２７４の光軸が通過する部分には、フレーム拡張部２２５の裏面側に設けられたカメラモジュール２４７による撮影の妨げとならないように、貫通穴２２５ａが形成されている。同様な理由から、カメラモジュール２７４やカメラモジュール２７４に関連する配線等を目隠しする機能を有する遮光印刷層２１７は、偏光板拡張部２１６の裏面の貫通穴２２５ａに対応する部分２１７ａを避けるように（光軸が通過しない部分に）、形成されている。
【００５５】
また、偏光板拡張部２１６の貫通穴２２５ａに対応する部分に、穴（不図示）を設けても良い。偏光板拡張部２１６に穴を設けた場合には、穴をアクリル材で塞ぐと良い。また、穴以外に、図１０に示すような切り欠き部２１９を設けても良い。切り欠き部２１９も、実際はアクリル材で塞がれる。図１０は、対向基板側偏光板２１５に設けられた切り欠き部２１９を説明するための図である。
【００５６】
偏光板拡張部２１６とフレーム拡張部２２５が設けられていない表示側筐体１２０の下辺Ｄ（図６）側には、下辺ベゼル２６２が取り付けられている。下辺ベゼル２６２とハウジング２４０の間には、図８に示すようにＦＰＣ／ＰＷＢ実装領域２３２が設けられている。ＦＰＣ／ＰＷＢ実装領域２３２において、ＰＷＢ２３４は、ＦＰＣ２３６を介して駆動基板２１２と接続されている。なお、表示側筐体１２０の下辺Ｄ側に偏光板拡張部２１６とフレーム拡張部２２５を設ける場合には、下辺ベゼル２６２は不要である。
【００５７】
また、液晶表示モジュール２１０の最外周には、図６、図７、図９に示すように、緩衝材であるゴムクッション２６０がフレーム拡張部２２５の外周に取り付けられている。図では、ゴムクッション２６０がフレーム拡張部２２５よりも突出するように示されているが、これに限定されず、ゴムクッション２６０がフレーム拡張部２２５より突出しなくても良い。
【００５８】
そして、本実施形態では、対向基板側偏光板２１５及び偏光板拡張部２１６が、表示側筐体１２０の最表面を成す。これは、外周ベゼルフレーム３５０が表示側筐体３００の最表面を成す第１比較例や、透明保護膜４５０が表示側筐体４００の最表面を成す第２比較例とは異なる。
【００５９】
＜４．まとめ＞
上述したように、電子機器１００の対向基板側偏光板２１５は、対向基板側偏光板２１５の少なとも一つの側面から対向基板２１３よりも外方へ延びた偏光板拡張部２１６を有する。また、フレーム２２４は、フレーム２２４から偏光板拡張部２１６の拡張方向に沿って拡張され、偏光板拡張部２１６を支持するフレーム拡張部２２５を有する。
【００６０】
かかる構成によれば、対向基板側偏光板２１５と偏光板拡張部２１６によって、表示側筐体１２０の最表面を一枚板で形成できる。また、フレーム拡張部２２５が、偏光板拡張部２１６を支持することで、偏光板拡張部２１６の変形等を防止できる。また、偏光板拡張部２１６は、表示機能を低下させるものではない。従って、本実施形態によれば、表示機能を低下させずに、最適なフラッシュサーフェイス構造を実現できる。
【００６１】
また、本実施形態によれば、第１比較例の外周ベゼルフレーム３５０や第２比較例の透明保護膜４５０が不要となるため、第１比較例や第２比較例に比べて薄型化、軽量化したフラッシュサーフェイス構造を実現できる。また、透明保護膜４５０に起因した液晶表示の視認性低下、液晶表示モジュールの輝度低下といった表示機能の低下も防止できる。更に、外周ベゼルフレーム３５０や透明保護膜４５０を用いないことで、製造工程追加による組み立てコストの増大、設備構築コストの増大が不要になる。
【００６２】
また、本実施形態によれば、偏光板拡張部２１６の裏面側に遮光印刷層２１７を設けたことで、液晶表示モジュール２１０の表示エリアの非点灯時に近い外観や遮光性を確保できる。また、フレーム側取付部２２６を設けたことで、液晶表示モジュール２１０のハウジング２４０への組み付けが簡単であり、リワークしやすい構造になる。更に、バックライトユニットのフレーム拡張部２２５の裏面には、アンテナ配線等の周辺部材の配線が収納されるスペースを設けているため、ノート型パソコンの表示側筐体１２０の薄型化に寄与できる。
【００６３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６４】
上記においては、表示モジュールは液晶表示モジュール（液晶ディスプレイ）であることとしたが、これに限定されない。表示モジュールは、表示パネルと偏光板を有すれば良く、例えば有機ＥＬディスプレイであることとしても良い。
【００６５】
なお、以下のような構成も本開示の技術的範囲に属する。
（１）矩形状の表示パネルと、
前記表示パネルの表面全体を覆う偏光板と、
前記表示パネルを支持するフレームと、
を備え、
前記偏光板は、前記偏光板の少なくとも一つの側面から前記表示パネルよりも外方へ延びた偏光板拡張部を有し、
前記フレームは、前記フレームから前記偏光板拡張部の拡張方向に沿って拡張され、前記偏光板拡張部を支持するフレーム拡張部を有する、情報処理装置。
【００６６】
（２）前記偏光板拡張部の裏面に、遮光印刷層が形成されている、前記（１）に記載の情報処理装置。
【００６７】
（３）前記表示パネルは、所定の表示エリアを有し、
前記偏光板拡張部及び前記偏光板の裏面で、かつ前記表示パネルの前記表示エリアの外周に、遮光印刷層が形成されている、前記（２）に記載の情報処理装置。
【００６８】
（４）前記偏光板拡張部は、前記フレーム拡張部に接着されている、前記（１）〜（３）のいずれか１項に記載の情報処理装置。
【００６９】
（５）前記偏光板は、前記表示パネルに貼り付けられており、
前記表示パネルの前記偏光板が貼り付けられる面と、前記フレーム拡張部の前記偏光板拡張部を支持する面との段差の大きさは、０．１ｍｍ以下である、前記（１）〜（４）のいずれか１項に記載の情報処理装置。
【００７０】
（６）前記偏光板及び前記偏光板拡張部は、前記表示パネル及び前記フレーム拡張部に、接着層により接着されている、前記（５）に記載の情報処理装置。
【００７１】
（７）前記情報処理装置は、
前記表示パネル、前記偏光板、及び前記フレームを含む表示モジュールと、
前記表示モジュールが取り付けられるハウジングと、
を更に備え、
前記フレーム拡張部の裏面側には、前記ハウジングと係合することで前記表示モジュールを前記ハウジングに取り付ける取付部が形成されている、前記（１）〜（６）のいずれか１項に記載の情報処理装置。
【００７２】
（８）前記フレーム拡張部の厚みは、前記表示モジュールの厚みよりも小さい、前記（７）に記載の情報処理装置。
【００７３】
（９）前記情報処理装置は、前記フレーム拡張部の裏面側に、撮像を行う撮像部材を更に備え、
前記フレーム拡張部は、前記撮像部材による撮像時の光軸が通過する部分に貫通穴を有する、前記（１）〜（８）のいずれか１項に記載の情報処理装置。
【００７４】
（１０）前記偏光板拡張部の裏面で、かつ前記光軸が通過しない部分に、遮光印刷層が形成されている、前記（９）に記載の情報処理装置。
【００７５】
（１１）前記表示パネルは、
駆動基板と、前記駆動基板と対向する対向基板とを有し、
前記駆動基板と前記対向基板の間に、液晶材料が封入されている、前記（１）〜（１０）のいずれか１項に記載の情報処理装置。
【符号の説明】
【００７６】
１００    電子機器
１２０    表示側筐体
１２２    表示部
２１０    液晶表示モジュール
２１１    液晶パネル
２１２    駆動基板
２１３    対向基板
２１４    駆動基板側偏光板
２１５    対向基板側偏光板
２１６    偏光板拡張部
２１７    遮光印刷層
２１８    粘着層
２２２    バックライトユニット
２２４    フレーム
２２５    フレーム拡張部
２２５ａ  貫通穴
２２６    フレーム側取付部
２２６ａ  フック
２３２    ＦＰＣ／ＰＷＢ実装領域
２４０    ハウジング
２４２    ハウジング側取付部
２４２ａ  フック
２６２    下辺ベゼル
２７０    配線スペース
２７４    カメラモジュール
３００    表示側筐体
３５０    外周ベゼルフレーム
４００    表示側筐体
４５０    透明保護膜
【図１】
2013073009.tif 000003
【図２Ａ】
2013073009.tif 000004
【図２Ｂ】
2013073009.tif 000005
【図３Ａ】
2013073009.tif 000006
【図３Ｂ】
2013073009.tif 000007
【図４】
2013073009.tif 000008
【図５】
2013073009.tif 000009
【図６】
2013073009.tif 000010
【図７】
2013073009.tif 000011
【図８】
2013073009.tif 000012
【図９】
2013073009.tif 000013
【図１０】
2013073009.tif 000014